(57)【要約】【課題】簡易融雪用ヒーターユニットを仮設住宅の屋根、一般住宅の下屋、玄関先、屋根の無いベランダ、車庫、軒等の家廻り等の融雪部位に一個又は複数個敷設し、シート材の内部の電熱ヒーターに家庭用電源等から給電することにより簡易融雪用ヒーターユニット上の積雪を融雪することができ、簡易融雪用ヒーターユニットは融雪部位に取除可能に敷設するだけであるから、夏期間等の不使用時には融雪部位から簡易融雪用ヒーターユニットを取り除くことができ、使用の利便性を高めることができる。【解決手段】仮設住宅の屋根、一般住宅の下屋、玄関先、ベランダ、車庫、軒等の家廻りの融雪部位Ｍに取除可能に敷設して使用され、折畳展開可能なシート材１の内部に電熱ヒーター２が内装されてなる。【選択図】図１
0003110054.tif 000002
【実用新案登録請求の範囲】
【請求項１】
仮設住宅の屋根、一般住宅の下屋、玄関先、ベランダ、車庫、軒等の家廻り等の融雪部位に取除可能に敷設して使用され、折畳展開可能なシート材の内部に電熱ヒーターが内装されてなることを特徴とする簡易融雪用ヒーターユニット。
【請求項２】
上記シート材の端面に上記電熱ヒーターの給電部を設けてなることを特徴とする請求項１記載の簡易融雪用ヒーターユニット。
【請求項３】
上記シート材の上記融雪部位側に断熱シートが設けられていることを特徴とする請求項１又は２記載の簡易融雪用ヒーターユニット。
【考案の詳細な説明】
【技術分野】
【０００１】
本考案は冬期間においてのみ例えば仮設住宅の屋根、一般住宅の下屋、玄関先、ベランダ、車庫、軒等の家廻り等に敷設して用いられる簡易融雪用ヒーターユニットに関するものである。
【背景技術】
【０００２】
従来、この種の融雪用ヒーターユニットとして、舗装ブロック内に電熱ヒーターを内装し、この舗装ブロックを道路面に複数個敷設してなる構造のものが知られている。
【特許文献１】特開平１１−７１７０７号
【考案の開示】
【考案が解決しようとする課題】
【０００３】
しかしながらこの従来構造の場合、永続固定的に使用する構造となっており、夏期間において取り除くことは不可能であり、このため、冬期間においてのみ例えば仮設住宅の屋根、一般住宅の下屋、玄関先、ベランダ、車庫等の家廻りに簡単に敷設し、夏期間等においては簡単に取り外して使用することができないという不都合を有している。
【課題を解決するための手段】
【０００４】
本考案はこれらの不都合を解決することを目的とするもので、本考案のうちで、請求項１記載の考案は、仮設住宅の屋根、一般住宅の下屋、玄関先、ベランダ、車庫、軒等の家廻り等の融雪部位に取除可能に敷設して使用され、折畳展開可能なシート材の内部に電熱ヒーターが内装されてなることを特徴とする簡易融雪用ヒーターユニットにある。
【０００５】
又、請求項２記載の考案は、上記シート材の端面に上記電熱ヒーターの給電部を設けてなることを特徴とするものであり、又、請求項３記載の考案は、上記シート材の上記融雪部位側に断熱シートが設けられていることを特徴とするものである。
【考案の効果】
【０００６】
本考案は上述の如く、請求項１記載の考案にあっては、簡易融雪用ヒーターユニットを仮設住宅の屋根、一般住宅の下屋、玄関先、屋根の無いベランダ、車庫、軒等の家廻り等の融雪部位に一個又は複数個敷設し、シート材の内部の電熱ヒーターに家庭用電源等から給電することにより簡易融雪用ヒーターユニット上の積雪を融雪することができ、簡易融雪用ヒーターユニットは融雪部位に取除可能に敷設するだけであるから、夏期間等の不使用時には融雪部位から簡易融雪用ヒーターユニットを取り除くことができ、このため、不要な状態において取り除くことにより邪魔になることもなく、かつ、取り除いた簡易融雪用ヒーターユニットを展開状態から折畳状態へと折り畳むことができ、それだけ、小さな保管スペースで保管することができると共に運搬も容易となり、使用の利便性を高めることができ、雪国の人達に快適な生活を提供することができる。
【０００７】
又、請求項２記載の考案にあっては、上記シート材の端面に上記電熱ヒーターの給電部を設けてなるから、融雪部位に応じて複数個の簡易融雪用ヒーターユニットを敷設する際において、隣り合う簡易融雪用ヒーターユニットの給電系統作業を容易に行うことができ、又、請求項３記載の考案にあっては、上記シート材の上記融雪部位側たる裏面側に断熱シートが設けられているから、電熱ヒーターから発生する熱の下方への逃げを防ぐことができ、それだけ融雪効率を高めることができる。
【考案を実施するための最良の形態】
【０００８】
図１乃至図４は本考案の実施の形態例を示し、Ｗは簡易融雪用ヒーターユニットであって、合成樹脂製の保護被覆材１ａ内にフレキシブルな電熱ヒーター２を内装すると共に融雪部位Ｍ側にフレキシブルな断熱シート１ｃを内装し、フレキシブルや面状発熱体等からなる電熱ヒーター２及び断熱シート１ｃをフレキシブルな合成樹脂剤１ｂにより固定してなるシート材１からなり、電熱ヒーター２の端面に家庭用１００Ｖ電源や隣り合う電熱ヒーター２に直接的又は間接的に接続可能な給電部２ａ・２ｂを形成し、しかして、簡易融雪用ヒーターユニットＷを折畳展開可能に形成している。
【０００９】
この実施の形態例は上記構成であるから、図１の簡易融雪用ヒーターユニットＷを仮設住宅の屋根、一般住宅の下屋、玄関先、屋根の無いベランダ、車庫、軒等の家廻り等の融雪部位Ｍに一個又は図３の如く、複数個敷設し、シート材１の内部の電熱ヒーター２に家庭用電源から給電することにより簡易融雪用ヒーターユニットＷ上の積雪を融雪することができ、簡易融雪用ヒーターユニットＷは融雪部位Ｍに取除可能に敷設するだけであるから、夏期間等の不使用時には融雪部位Ｍから簡易融雪用ヒーターユニットＷを取り除くことができ、このため、不要な状態において取り除くことにより邪魔になることもなく、かつ、取り除いた簡易融雪用ヒーターユニットＷを、図４の如く、展開状態から折畳状態へと折り畳むことができ、それだけ、小さな保管スペースで保管することができると共に運搬も容易となり、使用の利便性を高めることができ、雪国の人達に快適な生活を提供することができる。
【００１０】
又、この場合、上記シート材１の端面に上記電熱ヒーター２の給電部２ｂ・２ｂを設けてなるから、融雪部位Ｍに応じて複数個の簡易融雪用ヒーターユニットＷを敷設する際において、隣り合う簡易融雪用ヒーターユニットＷ・Ｗの給電系統作業を容易に行うことができ、又、この場合、上記シート材１の上記融雪部位Ｍ側たる裏面側に断熱シート１ｃが設けられているから、電熱ヒーター２から発生する熱の下方への逃げを防ぐことができ、それだけ融雪効率を高めることができる。
【００１１】
尚、本考案は上記実施の形態例に限られるものではなく、シート材１、電熱ヒーター２、給電系統等の形態、構造、材質等は適宜変更して設計される。
【００１２】
以上、所期の目的を充分達成することができる。
【図面の簡単な説明】
【００１３】
【図１】本考案の実施の形態例の斜視図である。
【図２】本考案の実施の形態例の部分断面図である。
【図３】本考案の実施の形態例の使用状態の平面図である。
【図４】本考案の実施の形態例の折畳状態の斜視図である。
【符号の説明】
【００１４】
Ｗ    簡易融雪用ヒーターユニット
Ｍ    融雪部位
１    シート材
１ｃ    断熱シート
２    電熱ヒーター
２ａ    給電部
２ｂ    給電部
【図１】
0003110054.tif 000003
【図２】
0003110054.tif 000004
【図３】
0003110054.tif 000005
【図４】
0003110054.tif 000006